【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
番組のコンテンツの記録を制御する記録制御装置において、
前記番組の電子番組表データを取得する取得手段と、
番組の録画予約を示す録画予約データから番組のタイトルを検出する検出手段と、
前記検出手段によって検出された前記タイトルと前記取得手段によって取得された前記電子番組表データに記載されている番組のタイトルとの類似度を算出する算出手段と、
前記算出手段によって算出された前記類似度に基づき、前記電子番組表データを用いて前記録画予約データを変更させる変更手段と
を含むことを特徴とする記録制御装置。
【請求項２】
前記算出手段は、前記検出手段によって検出された前記タイトルと前記取得手段によって取得された前記番組表情報に示された番組のタイトルとのLCS(Longest Common Subsequence)に基づき、前記類似度を算出する
ことを特徴とする請求項１に記載の記録制御装置。
【請求項３】
前記算出手段は、前記検出手段によって検出された前記タイトルと前記取得手段によって取得された前記番組表情報に示された番組のタイトルとのLCS長の２乗和を、前記類似度として算出する
ことを特徴とする請求項１に記載の記録制御装置。
【請求項４】
前記算出手段は、前記検出手段によって検出された前記タイトルと前記取得手段によって取得された前記番組表情報に示された番組のタイトルとのLCS長が長いほど類似度が高くなるように算出する
ことを特徴とする請求項１に記載の記録制御装置。
【請求項５】
前記算出手段は、前記録画予約データに含まれる番組の放送日の直前になったとき、前記類似度を算出する
ことを特徴とする請求項１に記載の記録制御装置。
【請求項６】
前記算出手段は、前記検出手段によって検出された前記タイトルと前記取得手段によって取得された前記番組表情報に示された番組のタイトルから所定の文字を除去、または他の文字に変換する前処理を施した後、前記類似度を算出する
ことを特徴とする請求項１に記載の記録制御装置。
【請求項７】
前記変更手段は、前記録画予約データが示す前記番組と前記電子番組表データに記載されている番組の開始時刻の差または番組長の差の少なくとも一方に基づいて、前記電子番組表データを用いて前記録画予約データを変更させる
ことを特徴とする請求項１に記載の記録制御装置。
【請求項８】
前記変更手段は、前記算出手段によって算出された前記類似度が所定値以上であるとき、前記録画予約データを変更させる
ことを特徴とする請求項１に記載の記録制御装置。
【請求項９】
前記検出手段は、録画済の番組のタイトルも検出する
ことを特徴とする請求項１に記載の記録制御装置。
【請求項１０】
前記算出手段によって算出された前記類似度に基づき、前記録画済の番組に関連する番組を選出する選出手段と、
前記選出手段によって選出された前記番組の録画予約を示す録画予約データを生成する前記生成手段と
をさらに含むことを特徴とする請求項９に記載の記録制御装置。
【請求項１１】
前記選出手段は、前記算出手段によって算出された前記類似度の他、前記録画済の前記番組と前記電子番組表データに記載されている番組の放送日の差、開始時刻の差、または番組長の差の少なくとも１つにも基づいて、前記録画済の番組に関連する番組を選出する
ことを特徴とする請求項１０に記載の記録制御装置。
【請求項１２】
番組のコンテンツの記録を制御する記録制御方法において、
前記番組の電子番組表データを取得する取得ステップと、
番組の録画予約を示す録画予約データから番組のタイトルを検出する検出ステップと、
前記検出ステップの処理で検出された前記タイトルと前記取得ステップの処理で取得された前記電子番組表データに記載されている番組のタイトルとの類似度を算出する算出ステップと、
前記算出ステップの処理で算出された前記類似度に基づき、前記電子番組表データを用いて前記録画予約データを変更させる変更ステップと
を含むことを特徴とする記録制御方法。
【請求項１３】
番組のコンテンツの記録を制御するためのプログラムであって、
前記番組の電子番組表データを取得する取得ステップと、
番組の録画予約を示す録画予約データから番組のタイトルを検出する検出ステップと、
前記検出ステップの処理で検出された前記タイトルと前記取得ステップの処理で取得された前記電子番組表データに記載されている番組のタイトルとの類似度を算出する算出ステップと、
前記算出ステップの処理で算出された前記類似度に基づき、前記電子番組表データを用いて前記録画予約データを変更させる変更ステップと
を含む処理をコンピュータに実行させることを特徴とするプログラム。
【手続補正２】
【補正対象書類名】明細書
【補正対象項目名】発明の名称
【補正方法】変更
【補正の内容】
【発明の名称】記録制御装置および方法、並びにプログラム
【手続補正３】
【補正対象書類名】明細書
【補正対象項目名】０００１
【補正方法】変更
【補正の内容】
【０００１】
本発明は、記録制御装置および方法、並びにプログラムに関し、例えば、録画予約済であるテレビジョン番組の放送時刻変更等を検出し、検出結果に基づいて録画予約を変更するようにした記録制御装置および方法、並びにプログラムに関する。
【手続補正４】
【補正対象書類名】明細書
【補正対象項目名】０００７
【補正方法】変更
【補正の内容】
【０００７】
本発明の記録制御装置は、番組の電子番組表データを取得する取得手段と、番組の録画予約を示す録画予約データから番組のタイトルを検出する検出手段と、検出手段によって検出されたタイトルと取得手段によって取得された電子番組表データに記載されている番組のタイトルとの類似度を算出する算出手段と、算出手段によって算出された類似度に基づき、電子番組表データを用いて録画予約データを変更させる変更手段とを含むことを特徴とする。
【手続補正５】
【補正対象書類名】明細書
【補正対象項目名】０００８
【補正方法】変更
【補正の内容】
【０００８】
前記算出手段は、検出手段によって検出されたタイトルと取得手段によって取得された番組表情報に示された番組のタイトルとのLCSに基づき、類似度を算出するようにすることができる。
【手続補正６】
【補正対象書類名】明細書
【補正対象項目名】０００９
【補正方法】変更
【補正の内容】
【０００９】
前記算出手段は、検出手段によって検出されたタイトルと取得手段によって取得された番組表情報に示された番組のタイトルとのLCS長の２乗和を、類似度として算出するようにすることができる。
前記算出手段は、検出手段によって検出されたタイトルと取得手段によって取得された番組表情報に示された番組のタイトルとのLCS長が長いほど類似度が高くなるように算出するようにすることができる。
前記算出手段は、録画予約データに含まれる番組の放送日の直前になったとき、前記類似度を算出するようにすることができる。
【手続補正７】
【補正対象書類名】明細書
【補正対象項目名】００１０
【補正方法】変更
【補正の内容】
【００１０】
前記算出手段は、検出手段によって検出されたタイトルと取得手段によって取得された番組表情報に示された番組のタイトルから所定の文字を除去、または他の文字に変換する前処理を施した後、類似度を算出するようにすることができる。
【手続補正８】
【補正対象書類名】明細書
【補正対象項目名】００１１
【補正方法】変更
【補正の内容】
【００１１】
前記変更手段は、録画予約データが示す番組と電子番組表データに記載されている番組の開始時刻の差または番組長の差の少なくとも一方に基づいて、電子番組表データを用いて録画予約データを変更させるようにすることができる。
前記変更手段は、算出手段によって算出された類似度が所定値以上であるとき、録画予約データを変更させるようにすることができる。
【手続補正９】
【補正対象書類名】明細書
【補正対象項目名】００１２
【補正方法】変更
【補正の内容】
【００１２】
前記検出手段は、録画済の番組のタイトルも検出するようにすることができる。
【手続補正１０】
【補正対象書類名】明細書
【補正対象項目名】００１３
【補正方法】変更
【補正の内容】
【００１３】
本発明の記録制御装置は、算出手段によって算出された類似度に基づき、録画済の番組に関連する番組を選出する選出手段と、選出手段によって選出された番組の録画予約を示す録画予約データを生成する生成手段とをさらに含むことができる。
【手続補正１１】
【補正対象書類名】明細書
【補正対象項目名】００１４
【補正方法】変更
【補正の内容】
【００１４】
前記選出手段は、算出手段によって算出された類似度の他、録画済の番組と電子番組表データに記載されている番組の放送日の差、開始時刻の差、または番組長の差の少なくとも１つにも基づいて、録画済の番組に関連する番組を選出するようにすることができる。
【手続補正１２】
【補正対象書類名】明細書
【補正対象項目名】００１５
【補正方法】変更
【補正の内容】
【００１５】
本発明の記録制御方法は、番組の電子番組表データを取得する取得ステップと、番組の録画予約を示す録画予約データから番組のタイトルを検出する検出ステップと、検出ステップの処理で検出されたタイトルと取得ステップの処理で取得された電子番組表データに記載されている番組のタイトルとの類似度を算出する算出ステップと、算出ステップの処理で算出された類似度に基づき、電子番組表データを用いて前記録画予約データを変更させる変更ステップとを含むことを特徴とする。
【手続補正１３】
【補正対象書類名】明細書
【補正対象項目名】００１６
【補正方法】変更
【補正の内容】
【００１６】
本発明のプログラムは、番組の電子番組表データを取得する取得ステップと、番組の録画予約を示す録画予約データから番組のタイトルを検出する検出ステップと、検出ステップの処理で検出されたタイトルと取得ステップの処理で取得された電子番組表データに記載されている番組のタイトルとの類似度を算出する算出ステップと、算出ステップの処理で算出された類似度に基づき、電子番組表データを用いて録画予約データを変更させる変更ステップとを含む処理をコンピュータに実行させることを特徴とする。
【手続補正１４】
【補正対象書類名】明細書
【補正対象項目名】００１７
【補正方法】変更
【補正の内容】
【００１７】
本発明においては、番組の録画予約を示す録画予約データから番組のタイトルが検出され、電子番組表データに記載されている番組のタイトルとの類似度が算出される。そして、算出された類似度に基づき、電子番組表データを用いて録画予約データが変更される。
【手続補正１５】
【補正対象書類名】明細書
【補正対象項目名】００１８
【補正方法】変更
【補正の内容】
【００１８】
本発明によれば、番組のコンテンツを予約録画することが可能となる。また、本発明によれば、録画予約済の番組の放送時刻変更等に対応して、録画予約されている時刻を変更することが可能となる。
【手続補正１６】
【補正対象書類名】明細書
【補正対象項目名】００２１
【補正方法】変更
【補正の内容】
【００２１】
請求項１に記載の記録制御装置（例えば、図１のビデオレコーダ１）は、番組の電子番組表データ（例えば、EPGデータ）を取得する取得手段（例えば、図２のEPGデータ保持部３６）と、番組の録画予約を示す録画予約データから番組のタイトルを検出する検出手段（例えば、図２のタイトル取得部３５）と、検出手段によって検出されたタイトルと取得手段によって取得された電子番組表データに記載されている番組のタイトルとの類似度を算出する算出手段（例えば、図２のタイトル類似度算出部３７）と、算出手段によって算出された類似度に基づき、電子番組表データを用いて録画予約データを変更させる変更手段（例えば、図２の録画予約変更部３８）とを含む。
【手続補正１７】
【補正対象書類名】明細書
【補正対象項目名】００２２
【補正方法】変更
【補正の内容】
【００２２】
請求項１０に記載の記録制御装置は、算出手段によって算出された類似度に基づき、録画済の番組に関連する番組を選出する選出手段（例えば、図２の録画候補選出部３９）と、選出手段によって選出された番組の録画予約を示す録画予約データを生成する生成手段（例えば、図２の録画予約設定部３１）とをさらに含む。
【手続補正１８】
【補正対象書類名】明細書
【補正対象項目名】００２３
【補正方法】変更
【補正の内容】
【００２３】
請求項１２に記載の記録制御方法は、番組の電子番組表データを取得する取得ステップ（例えば、図９のステップＳ１１）と、番組の録画予約を示す録画予約データから番組のタイトルを検出する検出ステップ（例えば、図８のステップＳ１）と、検出ステップの処理で検出されたタイトルと取得ステップの処理で取得された電子番組表データに記載されている番組のタイトルとの類似度を算出する算出ステップ（例えば、図９のステップＳ１５）と、算出ステップの処理で算出された類似度に基づき、電子番組表データを用いて録画予約データを変更させる変更ステップ（例えば、図９のステップＳ２０）とを含む。
【手続補正１９】
【補正対象書類名】明細書
【補正対象項目名】００３７
【補正方法】変更
【補正の内容】
【００３７】
タイトル類似度算出部３７は、最新のEPGデータから録画予約済番組に関する最新の情報（正確な放送時刻等）を取得したり、録画済番組の次回の情報（放送時刻等）を取得したりするための、タイトル取得部３５によって取得された録画予約済番組または録画済番組の番組タイトルと、EPGデータ保持部３６から供給される、所定の条件（後述）を満たす番組の番組タイトルとの類似度を算出して、その算出結果を番組データと共に録画予約変更部３８および録画候補選出部３９に出力する。
【手続補正２０】
【補正対象書類名】明細書
【補正対象項目名】００３８
【補正方法】変更
【補正の内容】
【００３８】
録画予約変更部３８は、タイトル類似度算出部３７から入力される類似度と番組データ
に基づき、録画予約済番組の放送時刻の変更を検出し、検出結果に基づいて録画予約設定
部３１に対して録画予約の変更を要求する。録画候補選出部３９は、タイトル類似度算出
部３７から入力される類似度と番組データに基づき、録画済番組の次回の放送を選出し、
選出された次回の放送の録画予約を録画予約設定部３１に対して要求する。なお、単に選
出結果をユーザに対して提示するだけであってもよい。統制部４０は、録画予約設定部３
１乃至録画候補選出部３９を統括する。
【手続補正２１】
【補正対象書類名】明細書
【補正対象項目名】００４２
【補正方法】変更
【補正の内容】
【００４２】
例えば、図４に示すように、異なる番組をそれぞれ指す番組タイトル「スズメ蜂の巣」と「今夜スタート青の空」の共通部分列は「ス」と「の」であるので、LCS長は２（＝１＋１）となる。また例えば、図５に示すように、同一番組のタイトルである「水色天国」と「水色」の共通部分列は「水色」であるので、LCS長は２となる。
【手続補正２２】
【補正対象書類名】明細書
【補正対象項目名】０１４１
【補正方法】変更
【補正の内容】
【０１４１】
以上説明したように、本発明を適用したビデオレコーダ１による次回予約処理によれば、録画済番組の次回の放送である可能性が最上位の番組データTMPを最新のEPGデータから検出してユーザに提示するようにしたので、ユーザが録画予約の設定を忘れてしまうことを防ぐことができる。よって、ユーザの利便性が向上する。